(57)【要約】【構成】録画されている番組を管理するための管理情報を管理情報テーブル５８ｔに保持し、この管理情報によって管理されている番組のうち、再生が許可されている番組を列挙した再生リスト、または見かけ上消去されているため再生できない番組を列挙した消去リストを画面に表示する。次に、再生リストに列挙された番組のうち、番組消去指示キー５６ｄを操作して見かけ上消去された番組について、管理情報に再生禁止を設定する。また、消去リストに列挙された番組のうち、番組復元指示キー５６ｆを操作して番組について、管理情報に再生許可を設定する。【効果】見かけ上消去された番組を簡単に復元することができる。【選択図】  図１
2004304746.tif 000002
【特許請求の範囲】
【請求項１】
記録媒体に記録されたコンテンツを管理する管理情報を保持する保持手段、
前記管理情報によって管理されたコンテンツのうち再生許可が設定されたコンテンツを列挙した第１コンテンツリストを表示する第１表示手段、
前記管理情報によって管理されたコンテンツのうち再生禁止が設定されたコンテンツを列挙した第２コンテンツリストを表示する第２表示手段、
前記第１コンテンツリスト上で消去が指示されたコンテンツについて前記管理情報に前記再生禁止を設定する第１設定手段、および
前記第２コンテンツリスト上で復元が指示されたコンテンツについて前記管理情報に前記再生許可を設定する第２設定手段を備える、コンテンツ処理手段。
【請求項２】
前記第１表示手段はコンテンツの再生に関連する操作に応答して前記第１コンテンツリストを表示し、
前記第２表示手段はコンテンツの消去に関連する操作に応答して前記第２コンテンツリストを表示する、請求項１記載のコンテンツ処理装置。
【請求項３】
コンテンツの消去を指示する消去指示キー、および
コンテンツの復元を指示する復元指示キーをさらに備え、
前記第１設定手段は前記消去指示キーの操作に応答して前記再生禁止の設定を行ない、
前記第２設定手段は前記復元指示キーの操作に応答して前記再生許可の設定を行なう、請求項１または２記載のコンテンツ処理装置。
【請求項４】
前記第１表示手段および前記第２表示手段の各々はジャンル毎にコンテンツを区分する、請求項１ないし３のいずれかに記載のコンテンツ処理装置。
【発明の詳細な説明】
【０００１】
【発明の属する技術分野】
この発明は、コンテンツ処理装置に関し、特にたとえば、ハードディスクレコーダに適用され、消去されたコンテンツを復元する、コンテンツ処理装置に関する。
【０００２】
【従来技術】
従来のこの種のコンテンツ処理装置は、録画、再生、消去、上書きなどの機能を備えており、ユーザはこれらの機能を利用して録画した番組を自由に消去することができる。
【０００３】
【発明が解決しようとする課題】
しかし、従来技術では、ハードディスクに保存されている番組の録画データは、ディレクトリエントリとＦＡＴによって管理されている。このため、ユーザが録画した番組を誤って消去してしまった場合も、録画データは削除されずにそのまま残されており、ディレクトリエントリのファイル名に“無効”を示す情報が追加される。
【０００４】
したがって、消去した番組を復元しようとする場合、この“無効”の情報を削除しなければならないが、専門的な知識が必要とされるので簡単には復元できないという問題があった。
【０００５】
それゆえに、この発明の主たる目的は、消去した番組を簡単に復元することができる、コンテンツ処理装置を提供することである。
【０００６】
【課題を解決するための手段】
この発明は、記録媒体に記録されたコンテンツを管理する管理情報を保持する保持手段、管理情報によって管理されたコンテンツのうち再生許可が設定されたコンテンツを列挙した第１コンテンツリストを表示する第１表示手段、管理情報によって管理されたコンテンツのうち再生禁止が設定されたコンテンツを列挙した第２コンテンツリストを表示する第２表示手段、第１コンテンツリスト上で消去が指示されたコンテンツについて再生禁止を設定する第１設定手段、および第２コンテンツリスト上で復元が指示されたコンテンツについて前記再生許可を設定する第２設定手段を備えるコンテンツ処理装置である。
【０００７】
【作用】
保持手段によって、記録媒体に記録されているコンテンツを管理するための管理情報を保持する。第１表示手段を用いて、この管理情報によって管理されているコンテンツのうち、再生が許可されているコンテンツを列挙した第１コンテンツリストを画面に表示する。また、第２表示手段を用いて、この管理情報によって管理されているコンテンツのうち、再生が禁止されているコンテンツを列挙した第２コンテンツリストを画面に表示する。次に、第１設定手段によって、第１コンテンツリストに列挙されたコンテンツのうち、消去指示されたコンテンツの管理情報に再生禁止の設定をする。また、第２コンテンツリストに列挙されたコンテンツのうち、復元指示されたコンテンツの管理情報に再生許可の設定をする。
【０００８】
コンテンツの再生に関連する操作を行なうと、第１表示手段は第１コンテンツリストを表示する。また、コンテンツの消去に関連する操作を行うと、第２表示手段は第２コンテンツリストを表示する。
【０００９】
消去指示キーを操作するとコンテンツが消去され、復元指示キーを操作するとコンテンツが復元される。消去指示キーが操作されると、第１設定手段は管理情報に再生禁止の設定を行ない、復元指示キーが操作されると、第２設定手段は管理情報に再生許可の設定を行なう。
【００１０】
好ましくは、第１表示手段および第２表示手段によって、コンテンツがジャンルごとに区分してそれぞれ第１コンテンツリストおよび第２コンテンツリストが表示される。
【００１１】
【発明の効果】
この発明によれば、管理情報を変更することによってコンテンツを見かけ上消去するので、消去した番組を簡単に復元することができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のハードディスクレコーダ１０は、アナログ受信機１２を含む。アナログ受信機１２は、アンテナ（図示せず）から高周波テレビジョン信号を受け、所望のチャネルのコンポジットビデオ信号およびオーディオ信号を出力する。コンポジットビデオ信号はＮＴＳＣデコーダ１４に与えられ、オーディオ信号はＡ／Ｄ変換器１６に与えられる。
【００１４】
ＮＴＳＣデコーダ１４は、与えられたコンポジットビデオ信号をデコードしてビデオデータを生成し、生成したビデオデータをＬＳＩ１８に設けられたＭＰＥＧビデオエンコーダ２０に与える。一方、Ａ／Ｄ変換器１６は、与えられたオーディオ信号にＡ／Ｄ変換を施し、オーディオデータをＭＰＥＧオーディオエンコーダ２４に与える。ビデオデータは、ＭＰＥＧビデオエンコーダ２０の符号化処理によってビデオＥＳに変換され、変換されたビデオＥＳは、パケット化回路２２のパケット化処理によってビデオＰＥＳパケットに変換される。オーディオデータは、ＭＰＥＧオーディオエンコーダ２４の符号化によってオーディオＥＳに変換され、オーディオＥＳはパケット化回路２６のパケット化によってオーディオＰＥＳに変換される。
【００１５】
マルチプレクサ２８は、パケット化回路２２および２６から出力されたビデオＰＥＳパケットおよびオーディオＰＥＳパケットを多重してＭＰＥＧ−ＴＳを生成し、生成したＭＰＥＧ−ＴＳを、ＭＰＥＧバッファ３０を介してＨＤＤユニット３２に与える。ＭＰＥＧ−ＴＳは、ＨＤＤユニット３２によってＭＰＥＧファイル形式でＨＤＤ３２に記録される。
【００１６】
なお、１つのＭＰＥＧファイルに格納されたＭＰＥＧ−ＴＳを“コンテンツ”と定義してもよい。
【００１７】
ＨＤＤ３４に記録されたＭＰＥＧファイルから所望のＭＰＥＧ−ＴＳが再生されると、このＭＰＥＧ−ＴＳはＭＰＥＧバッファ３６を介してデマルチプレクサ３８に与えられる。デマルチプレクサ３８は、与えられたＭＰＥＧ−ＴＳからビデオＰＥＳパケットおよびオーディオＰＥＳパケットを抽出し、ビデオＰＥＳパケットを非パケット化回路４０に、オーディオＰＥＳパケットを非パケット化回路４４にそれぞれ与える。非パケット化回路４０および４４はそれぞれ、ビデオＰＥＳおよびオーディオＰＥＳをビデオＥＳおよびオーディオＥＳに変換し、変換したビデオＥＳおよびオーディオＥＳをＭＰＥＧビデオデコーダ４２およびＭＰＥＧオーディオデコーダ４６に与える。
【００１８】
ＭＰＥＧビデオデコーダ４２は、与えられたビデオＥＳをデコードしてビデオデータを生成し、生成したビデオデータをＮＴＳＣエンコーダ４８に与える。ビデオデータは、ＮＴＳＣエンコーダ４８によってコンポジットビデオ信号に変換され、変換されたコンポジットビデオ信号はテレビジョン受像機５２に出力される。この結果、所望の番組の再生映像がテレビジョン受像機５２のモニタ画面に表示される。
【００１９】
ＭＰＥＧオーディオエンコーダ４６は、与えられたオーディオＥＳをデコードしてオーディオデータを生成する。生成されたオーディオデータはＤ／Ａ変換器５０によってアナログオーディオ信号に変換され、変換されたオーディオ信号はテレビジョン受像機５２に出力される。この結果、所望の番組の再生音声が、テレビジョン受像機５２のスピーカから出力される。
【００２０】
ＨＤＤ３２はファイル管理方式としてＦＡＴ方式を採用し、ハードディスク３４はデータ領域とファイル管理領域とに分割される。ＭＰＥＧファイルは、データ領域を形成する複数の小エリアに離散的に記録される。ファイル管理領域には、ＭＰＥＧファイルのファイル名とこのＭＰＥＧファイルを形成する部分データが格納された小エリアのアドレス情報が書き込まれる。
【００２１】
ＣＰＵ５４には、操作パネル５６とフラッシュメモリ５８が接続されている。操作パネル５６には、カーソルキー５６ａ、再生リスト表示キー５６ｂ、番組再生指示キー５６ｃ、番組消去指示キー５６ｄ、消去リスト表示キー５６ｅ、番組復元指示キー５６ｆの各種キーが設けられている。これらのキーの機能については後で説明する。
【００２２】
また、フラッシュメモリ５８には、このハードディスクレコーダ１０を制御するための各種プログラムおよびハードディスク３４に録画された番組の管理情報が保存されている。この管理情報については、後で説明する。
【００２３】
図２を参照して、管理情報について説明する。管理情報は、番組の録画データを管理しているディレクトリエントリおよびＦＡＴとは別に、フラッシュメモリ５８に保存されている。そして、ハードディスクに番組を録画するときには、番組に対応したディレクトリエントリおよびＦＡＴがハードディスクに新たに作成されるとともに、管理情報も管理情報テーブル５８ｔに追加される。また、番組を見かけ上消去または復元するときは、その番組の管理情報だけを変更する。
【００２４】
管理情報テーブル５８ｔには、番組名、録画日、録画時間、消去履歴、消去日、ジャンル、視聴回数、ファイル名の欄が設けられていて、それぞれ情報が入力されている。番組を録画したときには、番組名、録画日、録画時間、ジャンル、ファイル名の各欄に情報が入力される。
【００２５】
ここで、ファイル名の欄には、この番組のディレクトリエントリのファイル名と同じファイル名が入力される。このファイル名は、例えば録画順に“ＳＡＮ．０００１．ｍｐｇ”、“ＳＡＮ．０００２．ｍｐｇ”・・・・とする。また、番組を１回再生するたびに管理情報テーブル５８ｔの視聴回数に１が加えられるので、視聴回数の欄を見れば今までその番組を視聴した回数が分かる。
【００２６】
番組を見かけ上消去した場合には、管理情報テーブル５８ｔの消去履歴の欄にチェックを入れ、さらに消去日の欄に消去した日を入力する。消去履歴の欄および消去日の欄が入力された番組は消去され、番組の選択は不可能となる。また、見かけ上消去した番組を復元する場合には、管理情報テーブル５８ｔの消去履歴の欄のチェックをはずすとともに、消去日の欄の日付を削除する。そして、番組再生指示キー５６ｃを押すと、管理情報テーブル５８ｔのファイル名にしたがって、ディレクトリエントリおよびＦＡＴが特定される。さらに、特定されたディレクトリエントリおよびＦＡＴにしたがって、ハードディスク３４のクラスタに記録された番組の録画データが再生される。
【００２７】
なお、管理情報は、フラッシュメモリ５８に保存されているとして説明したが、フラッシュメモリ５８ではなくハードディスク３４のデータ領域に保存されていてもよい。
【００２８】
次に、図３を参照して、このハードディスクレコーダ１０で録画した番組を再生したり、見かけ上消去したりする場合に、ＣＰＵ５４が実行する処理を説明する。まず、ステップＳ１で再生リスト表示キー５６ｂが押されるまで待ち、再生リスト表示キー５６ｂが押されると、ステップＳ３で再生リストＬ１が表示される。
【００２９】
この再生リストＬ１は、管理情報テーブル５８ｔの中から再生可能な番組の情報を抽出したもので、テレビジョン受像機５２に映し出される。この再生リストＬ１の具体例を図４に示す。ここに示した再生リストＬ１は、管理情報テーブル５８ｔの中から番号、番組名、ジャンル、録画日、録画時間の各欄の情報を抽出したものである。また、この再生リストＬ１は、番号順、すなわち録画日順に番組を表示したものではなく、管理情報テーブル５８ｔのジャンルの欄の情報に基づいて番組をジャンルごとにまとめて表示している。なお、再生リストＬ１の表示の仕方はこれに限らず、管理情報テーブル５８ｔの録画日の欄または視聴回数の欄の情報を利用して、録画日順または視聴回数順に表示してもよい。
【００３０】
次に、ステップＳ５で、番組再生の指示があったかどうかを判断し、番組再生の指示があった場合には、ステップＳ７で、再生リストＬ１に表示された番組の中から操作パネル５６のカーソルキー５６ａの操作により再生する番組が選択されるまで待つ。再生する番組が選択されると、ステップＳ９で番組再生指示キー５６ｃが押されるまで待つ。番組再生指示キー５６ｃが押されると、ステップＳ１１で管理情報テーブル５８ｔの視聴回数の欄の数字に１が加えられた後、ステップＳ１３で番組が再生される。番組の再生が終了すると、ステップＳ１５で番組の再生または消去を継続するかどうかを判断し、継続する場合はステップＳ５に戻る。一方、継続しない場合は処理を終了する。
【００３１】
また、ステップＳ５で番組を再生しない場合は、ステップＳ１７で、テレビジョン受像機５２に表示されている再生リストＬ１の中から、操作パネル５６のカーソルキー５６ａの操作によって消去する番組が選択されるまで待つ。
【００３２】
消去する番組が選択されると、ステップＳ１９で、番組消去指示キー５６ｄが押されるまで待つ。番組消去指示キー５６ｄが押されると、ステップＳ２１で、再生リストＬ１の中から選択された番組が消去される。再生リストＬ１から消去されると、その番組は見かけ上消去されたので、カーソルキー５６ａによってその番組を選択することができなくなる。
【００３３】
さらに、ステップＳ２３で、管理情報テーブル５８ｔの消去履歴の欄にチェックが入力され、消去日の欄に消去した日付が入力される。次に、ステップＳ２５で、消去リストＬ２に消去された番組の情報が追加される。この消去リストＬ２の具体例については後で説明する。番組の消去が終了すると、ステップＳ１５で再生または消去を継続するかどうかを判断し、継続する場合はステップＳ５に戻る。一方、継続しない場合は処理を終了する。
【００３４】
次に、図５を参照して、見かけ上消去した番組を復元する場合に、ＣＰＵ５４が実行する処理を説明する。まず、ステップＳ３１で、消去リスト表示キー５６ｅが押されるまで待つ。そして、消去リスト表示キー５６ｅが押されると、ステップＳ３３で消去リストＬ２が表示される。この消去リストＬ２の一例を図６に示す。消去リストＬ２は、管理情報テーブル５８ｔの情報の中から、消去された番組の番号、番組名、ジャンル、消去日、録画日、録画時間の各欄の情報を抽出し、ジャンルごとにまとめて表示している。なお、再生リストＬ１の場合と同じく、消去リストＬ２の表示の仕方もこれに限らず、管理情報テーブル５８ｔに入力されている録画日の欄または視聴回数の欄に入力されている情報を用いて、録画日順または視聴回数順に表示してもよい。
【００３５】
次に、ステップＳ３５で、操作パネル５６のカーソルキー５６ａの操作により消去リストＬ２の中から復元する番組が選択されるまで待つ。復元する番組が選択されると、ステップＳ３７で、番組復元指示キー５６ｆが押されるまで待つ。番組復元指示キー５６ｆが押されると、ステップＳ３９で、復元する番組が消去リストＬ２から削除される。そして、ステップＳ４１で、管理情報テーブル５８ｔの復元した番組について、消去履歴の欄のチェックがはずされるとともに、消去日の欄の日付が削除される。さらに、ステップＳ４３で、復元した番組のデータを再生リストＬ１に追加する。
【００３６】
その後、ステップＳ４５で、復元した番組について番組再生指示キー５６ｃが押されたかどうかを判断する。その結果、番組再生指示キー５６ｃが押されない場合には、ステップＳ４９に進む。一方、番組再生指示キー５６ｃが押された場合には、ステップＳ４７で復元した番組を再生する。番組の再生が終了すると、ステップＳ４９で他の番組を復元するかどうかを判断し、他の番組を復元する場合にはステップＳ３５に戻る。一方、番組を復元しない場合には処理を終了する。
【００３７】
以上の説明から分かるように、ハードディスク３４に録画されている番組を管理するための管理情報をフラッシュメモリ５８の管理情報テーブル５８ｔに保持する。この管理情報によって管理されている番組のうち、再生が許可されている番組を列挙した再生リストを画面に表示する。また、この管理情報によって管理されている番組のうち、見かけ上消去されているため再生できない番組を列挙した消去リストを画面に表示する。次に、再生リストに列挙された番組のうち、番組消去指示キー５６ｄを操作して見かけ上消去された番組について、管理情報に再生禁止を設定する。また、消去リストに列挙された番組のうち、番組復元指示キー５６ｆを操作して番組について、管理情報に再生許可を設定する。
【００３８】
再生リスト表示キー５６ｂを押すと、再生リストが画面に表示される。また、消去リスト表示キー５６ｅを押すと、消去リストが画面に表示される。
【００３９】
番組消去指示キー５６ｄを押すと番組が消去され、番組復元指示キー５６ｆを押すと番組が復元される。番組消去指示キー５６ｄが操作されると管理情報に再生禁止が設定され、番組復元指示キー５６ｆが操作されると管理情報に再生許可が設定される。
【００４０】
好ましくは、再生リストおよび消去リストは、番組がジャンルごとに区分してそれぞれ表示される。
【図面の簡単な説明】
【図１】この発明の一実施例を示すブロック図である。
【図２】管理情報を示す図解図である。
【図３】図１実施例の動作の一部を示すフロー図である。
【図４】図１実施例の再生リストＬ１を示す図解図である。
【図５】図１実施例の動作の他の一部を示すフロー図である。
【図６】図１実施例の消去リストＬ２を示す図解図である。
【符号の説明】
１０…ハードディスクレコーダ
３４…ハードディスク
５２…テレビジョン受像機
５４…ＣＰＵ
５６…操作パネル
５６ａ…カーソルキー
５６ｂ…再生リスト表示キー
５６ｃ…番組再生指示キー
５６ｄ…番組消去指示キー
５６ｅ…消去リスト表示キー
５６ｆ…番組復元指示キー
５８…フラッシュメモリ
５８ｔ…管理情報テーブル
【図１】
2004304746.tif 000003
【図２】
2004304746.tif 000004
【図３】
2004304746.tif 000005
【図４】
2004304746.tif 000006
【図５】
2004304746.tif 000007
【図６】
2004304746.tif 000008